(57)【特許請求の範囲】
【請求項１】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理演算装置であって、
前記計測された降雨量、ポンプ全揚水量、反応槽溶存酸素濃度、及び反応槽への送風量のデータを入力する入力手段と、
前記入力する降雨量とポンプ全揚水量とに基づいて、降雨による流入量増加状況をファジー推論する流入量増加状況演算手段と、
該流入量増加状況演算手段により求められた流入量増加状況の推論値と、前記入力する反応槽溶存酸素濃度と送風量のデータに基づいて、流入水の希釈状況をファジー推論する流入水の希釈状況演算手段と、
該流入水の希釈状況演算手段により求められた流入水の希釈状況の推論値が予め設定される閾値を越えるか否かを判定する判定手段と、
該判定手段による判定結果に応じて前記第２ポンプに対するポンプ起動／停止指令、または前記簡易処理放流ゲートに対するゲート開／閉指令を出力する制御手段と、
を有することを特徴とする流入水処理演算装置。
【請求項２】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理演算装置であって、
前記計測された降雨量、ポンプ全揚水量、反応槽溶存酸素濃度、及び反応槽への送風量のデータを入力する入力手段と、
前記入力する降雨量とポンプ全揚水量とに基づいて、降雨による流入量増加状況をファジー推論する流入量増加状況演算手段と、
前記入力する反応槽溶存酸素濃度と送風量のデータに基づいて、流入水の希釈状況をファジー推論する流入水の希釈状況演算手段と、
前記流入量増加状況演算手段により求められた流入量増加状況の推論値が予め設定される第１の閾値を越えるか否かを判定すると共に、該流入水の希釈状況演算手段により求められた流入水の希釈状況の推論値が予め設定される第２の閾値を越えるか否かを判定する判定手段と、
該判定手段による判定結果に応じて前記第２ポンプに対するポンプ起動／停止指令、または前記簡易処理放流ゲートに対するゲート開／閉指令を出力する制御手段と、
を有することを特徴とする流入水処理演算装置。
【請求項３】
前記下水処理システムが、前記最初沈殿池から前記反応槽への流入ルートとして該反応槽の前段への流入ルートと該反応槽の後段への流入ルートがあり、該前段への流入ルートには第１の流入量調整ゲートが設けられ、該後段への流入ルートには第２の流入量調整ゲートが設けられるシステムである場合には、
前記制御手段は、前記判定手段による判定結果に応じて、前記流入水の希釈状況の推論値が前記閾値を越えた場合、あるいは前記流入量増加状況の推論値が前記第１の閾値を越え且つ前記流入水の希釈状況の推論値が前記第２の閾値を越えた場合には、前記第１、第２の流入量調整ゲートに対して前記反応槽の後段への流入比率が高くなるようにする流入量調整ゲート操作指令を出力することを特徴とする請求項１または２記載の流入水処理演算装置。
【請求項４】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムであって、
前記計測された降雨量、ポンプ全揚水量、反応槽溶存酸素濃度、及び反応槽への送風量のデータを入力する入力手段と、前記入力する降雨量とポンプ全揚水量とに基づいて、降雨による流入量増加状況をファジー推論する流入量増加状況演算手段と、該流入量増加状況演算手段により求められた流入量増加状況の推論値と、前記入力する反応槽溶存酸素濃度と送風量のデータに基づいて、流入水の希釈状況をファジー推論する流入水の希釈状況演算手段と、該流入水の希釈状況演算手段により求められた流入水の希釈状況の推論値が予め設定される閾値を越えるか否かを判定する判定手段と、該判定手段による判定結果に応じて前記第２ポンプに対するポンプ起動／停止指令、または前記簡易処理放流ゲートに対するゲート開／閉指令を出力する制御手段とを有する流入水処理演算装置を備えることを特徴とする下水処理システム。
【請求項５】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムであって、
前記計測された降雨量、ポンプ全揚水量、反応槽溶存酸素濃度、及び反応槽への送風量のデータを入力する入力手段と、前記入力する降雨量とポンプ全揚水量とに基づいて、降雨による流入量増加状況をファジー推論する流入量増加状況演算手段と、前記入力する反応槽溶存酸素濃度と送風量のデータに基づいて、流入水の希釈状況をファジー推論する流入水の希釈状況演算手段と、前記流入量増加状況演算手段により求められた流入量増加状況の推論値が予め設定される第１の閾値を越えるか否かを判定すると共に、該流入水の希釈状況演算手段により求められた流入水の希釈状況の推論値が予め設定される第２の閾値を越えるか否かを判定する判定手段と、該判定手段による判定結果に応じて前記第２ポンプに対するポンプ起動／停止指令、または前記簡易処理放流ゲートに対するゲート開／閉指令を出力する制御手段とを有する流入水処理演算装置を備えることを特徴とする下水処理システム。
【請求項６】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理方法であって、
前記計測された降雨量、ポンプ全揚水量、反応槽溶存酸素濃度、及び反応槽への送風量のデータを入力し、
入力する降雨量とポンプ全揚水量とに基づいて、降雨による流入量増加状況をファジー推論し、
該流入量増加状況の推論値と、入力する反応槽溶存酸素濃度と送風量のデータに基づいて、流入水の希釈状況をファジー推論し、
該流入水の希釈状況の推論値が予め設定される閾値を越えるか否かを判定し、該判定結果に応じて前記第２ポンプに対するポンプ起動／停止指令、または前記簡易処理放流ゲートに対するゲート開／閉指令を出力することを特徴とする流入水処理方法。
【請求項７】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理方法であって、
前記計測された降雨量、ポンプ全揚水量、反応槽溶存酸素濃度、及び反応槽への送風量のデータを入力し、
入力する降雨量とポンプ全揚水量とに基づいて、降雨による流入量増加状況をファジー推論し、
入力する反応槽溶存酸素濃度と送風量のデータに基づいて、流入水の希釈状況をファジー推論し、
前記流入量増加状況の推論値が予め設定される第１の閾値を越えるか否かを判定すると共に、前記流入水の希釈状況の推論値が予め設定される第２の閾値を越えるか否かを判定し、該判定結果に応じて前記第２ポンプに対するポンプ起動／停止指令、または前記簡易処理放流ゲートに対するゲート開／閉指令を出力することを特徴とする流入水処理方法。
【請求項８】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおけるコンピュータにおいて用いられたとき、
前記計測された降雨量、ポンプ全揚水量、反応槽溶存酸素濃度、及び反応槽への送風量のデータを入力する機能と、
前記入力する降雨量とポンプ全揚水量とに基づいて、降雨による流入量増加状況をファジー推論する機能と、
該流入量増加状況の推論値と、入力する反応槽溶存酸素濃度と送風量のデータに基づいて、流入水の希釈状況をファジー推論する機能と、
該流入水の希釈状況の推論値が予め設定される閾値を越えるか否かを判定し、該判定結果に応じて前記第２ポンプに対するポンプ起動／停止指令、または前記簡易処理放流ゲートに対するゲート開／閉指令を出力する機能と、
を実現させるプログラムを記憶した前記コンピュータ読取り可能な記録媒体。
【請求項９】
降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおけるコンピュータにおいて用いられたとき、
前記計測された降雨量、ポンプ全揚水量、反応槽溶存酸素濃度、及び反応槽への送風量のデータを入力する機能と、
入力する降雨量とポンプ全揚水量とに基づいて、降雨による流入量増加状況をファジー推論する機能と、
入力する反応槽溶存酸素濃度と送風量のデータに基づいて、流入水の希釈状況をファジー推論する機能と、
前記流入量増加状況の推論値が予め設定される第１の閾値を越えるか否かを判定すると共に、前記流入水の希釈状況の推論値が予め設定される第２の閾値を越えるか否かを判定し、該判定結果に応じて前記第２ポンプに対するポンプ起動／停止指令、または前記簡易処理放流ゲートに対するゲート開／閉指令を出力する機能と、
を実現させるプログラムを記憶した前記コンピュータ読取り可能な記録媒体。
【発明の詳細な説明】
【０００１】
【発明の属する技術分野】
本発明は、下水処理場等における下水処理システム、その流入水処理演算装置、流入水処理方法に関する。
【０００２】
【従来の技術】
下水道には、一般家庭等から排出される汚水用の分流式下水道や、汚水と雨水の両方が流入する合流式下水道等がある。合流式下水道を通って流入する液体（汚水、雨水等）は、下水処理場において、例えば降雨時等にその処理能力を越える流入量があった場合には、これを処理せずに直接ポンプで河川等に放流したり、最初沈殿池を経由して放流する簡易処理を行っていた。あるいは雨水調整池を有する処理場では、活性汚泥処理能力を越える分を一時的に貯留し、降雨終了後にその活性汚泥処理を行うようにしている。これは、活性汚泥処理能力を越える流入量（水位）があった場合に、自然に余剰分が雨水調整池に流れ込むように、予め所定の高さの越流堰を設けている。また、活性汚泥処理施設としてステップ処理施設を備えている場合には、汚水の流入点を変えることにより処理水質を維持しているところもある。
【０００３】
以下、図面を参照して、更に詳しく説明する。
図１１は、合流式下水道に対する下水処理場の構成の一例を示す図であり、この例ではステップ処理施設を備える下水処理場を示す。また、図示の例では、雨水調整池も備えた構成としている。
【０００４】
図１１において、合流式の下水管渠１より流入する液体（雨水、汚水の混合）は、貯留槽２に一時的に貯留され、ここから揚水ポンプ３（複数台のポンプから成る場合もある）によって汲み上げられ、まず最初沈殿池４に入る。あるいは、活性汚泥処理能力を越える流入量があった場合に、余剰分が雨水調整池５に流れ込む。最初沈殿池４において、液体内の汚濁物がある程度沈殿された後、反応槽６において活性汚泥処理能力が行われる。よく知られているように、活性汚泥処理とは、活性汚泥による生物化学反応によって、汚水に含まれる（溶解している）汚濁物を固形化する処理である。ここで、活性汚泥とは、最終沈殿池７で沈殿した汚泥の一部を反応槽６に戻したもの（返送汚泥）である。更に、活性汚泥に含まれる微生物の活動が活発になるようにする為に、空気を送風する。
【０００５】
このような送風による活性化の指標として、一般に、反応槽６内の溶存酸素濃度値が使用されている。すなわち、上記微生物は、汚水に含まれる汚濁物を処理する際に酸素を消費するが、仮に送風空気中の酸素量よりも酸素消費量が大きくなると溶存酸素濃度値が下がっていき、その逆の場合は溶存酸素濃度値が上がっていく。これは、流入水の量や汚濁度等に影響される。溶存酸素濃度値は、下がり過ぎても、上がり過ぎても具合が悪い。
【０００６】
よって、通常は、溶存酸素濃度値の適切な目標値を設定しておき、この目標値となるように送風量を調節する制御を行う。この制御は、後述する「溶存酸素濃度一定制御装置」により行われる。
【０００７】
このようにして、反応槽６において汚水に含まれる汚濁物を固形化する処理を行ったあと、最後に、最終沈殿池７において、固形化された汚濁物の沈殿が行われる。このようなプロセスを経て汚水は浄化され、河川等に放流可能となる。
【０００８】
また、図１１において、河川放流ポンプ８は、活性汚泥処理能力を越える流入量があった場合、または雨水調整池５がある場合には、その一時貯留限界量を越えた場合等に、貯留槽２から直接、河川に放流する為のポンプである。また、上記簡易処理を行う場合には、最初沈殿池４から放流する。いずれにしても、反応槽６の処理能力を越えないようにする一方で、ある程度以上汚濁度が低い状態で河川等に放流しなけらばならない。
【０００９】
また、ステップ処理施設では、最初沈殿池４から反応槽６に流入させるのに、図示の通り、反応槽６の前段への流入ルートＡと、反応槽６の後段への流入ルートＢとがある。通常は、反応槽６の前段への流入量と後段への流入量はほぼ同じ（５０％ずつ）にしているが、雨天時等には、上記の様に、汚水の流入点を変えることにより処理水質を維持しているところもある。尚、汚水の流入点を変えるとは、上記前段／後段５０％ずつの比率を変えて、後段への流入量を多くすることを意味する。
【００１０】
上述した河川放流ポンプ８からの直接放流や簡易処理、あるいは後段への流入量を多くする事は、従来では現場の状況を見ながら人間が判断して手動で操作していた。人間による判断方法としては、揚水ポンプ３の揚水量や運転台数から流入量を判断したり、水質や水質の変化を判断し、これより例えば流入量がある程度多くなり、水質が直接河川に放流可能な程度まで希釈されていると判断すると、上記直接放流等を行わせる操作、すなわち河川放流ポンプ８の起動等の操作を行っていた。
【００１１】
【発明が解決しようとする課題】
従来では、上記の通り、人間が判断して手動で操作していたが、その判断材料は、例えば水質を判断する場合は、溶存酸素濃度値、送風量の計測値であった。
【００１２】
ここで、溶存酸素濃度値、送風量の計測値を判断材料とする意味について説明する。
降雨開始時には、地表面等に蓄積した汚濁物質が雨水により洗い流されたり、下水管渠内に蓄積した汚濁物質が流出することにより、下水処理場には汚濁度の高い液体（雨水と汚水）が流入する。しかし、ある程度降雨が続いて、上記汚濁物質が洗い流されると、その後は汚濁度が非常に低い雨水が流入することになり、この雨水が合流することにより汚水が希釈されるので、流入水の汚濁度が低くなる。それと共に、雨水中の溶存酸素濃度により流入水中の溶存酸素濃度値が上昇する。そして、上記溶存酸素濃度値の高い流入水が反応槽内に入っていくにしたがって、反応槽内の液体の溶存酸素濃度値が上昇していく。活性汚泥処理反応槽内の溶存酸素濃度一定値運転を行っている場合、これによって、送風量を減少させる制御が行われるが、この場合、送風量が最小になっても、溶存酸素濃度値が上昇し続ける現象が生じる。
【００１３】
このように、流入水の水質と、溶存酸素濃度及び送風量との間には関係があることが知られており、溶存酸素濃度値と送風量を見れば、水質を推定することは可能であった。
【００１４】
しかしながら、このような判断は、担当者の能力によってバラツクし、ある程度の熟練者でないと判断すること自体難しい。そして、判断に失敗すると、例えば反応槽６の処理限界を越える流入量が続くと、反応槽６の処理が異常となり、結果、処理水質の悪化や反応槽６内の活性汚泥微生物の死滅や変質を招いてしまう。そして、一度こうなってしまうと、復旧作業が非常に大変となる。そうかといって、流入水の汚濁度が未だ高い状態であるにも係わらず、河川への直接放流等を行えば、河川を汚してしまう。
【００１５】
また、一日中（２４時間）、流入量や溶存酸素濃度及び送風量のデータを見て判断する作業を繰り返さなければならないので、作業者の負担が大きい。特に夜間は大変である。
【００１６】
一方、水質センサーを用いて、この水質センサーの計測値を見て判断することが考えられるが、水質センサーは非常に高価であり、且つ頻繁にメンテナンスする必要がある為、購入コスト、維持コストとも掛かり、また運転員（もしくは監視員）等にメンテナンス作業負担が課せられることになり、作業負担が増大する。
【００１７】
また、図１１には、雨水調整池５を示してあるが、現実には、雨水調整池を設置するには非常に広い敷地が必要となる為、実現が難しい。特に、都市部では、雨水調整池を設けることができない下水処理場が多い。
【００１８】
本発明の課題は、既存のシステムを利用し、直接放流等してよいか否かを正しく判断でき、且つ直接放流等の操作も自動的に行う下水処理システム、その流入水処理演算装置、流入水処理方法を提供することである。
【００１９】
本発明による請求項１記載の流入水処理演算装置は、降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理演算装置であって、前記計測された降雨量、ポンプ全揚水量、反応槽溶存酸素濃度、及び反応槽への送風量のデータを入力する入力手段と、前記入力する降雨量とポンプ全揚水量とに基づいて、降雨による流入量増加状況をファジー推論する流入量増加状況演算手段と、該流入量増加状況演算手段により求められた流入量増加状況の推論値と、前記入力する反応槽溶存酸素濃度と送風量のデータに基づいて、流入水の希釈状況をファジー推論する流入水の希釈状況演算手段と、該流入水の希釈状況演算手段により求められた流入水の希釈状況の推論値が予め設定される閾値を越えるか否かを判定する判定手段と、該判定手段による判定結果に応じて前記第２ポンプに対するポンプ起動／停止指令、または前記簡易処理放流ゲートに対するゲート開／閉指令を出力する制御手段とを有する。
また、本発明による請求項２記載の流入水処理演算装置は、降雨量を計測する雨量計と、下水管渠より流入する流入水を一時的に貯留する貯留槽と、該貯留槽から揚水して最初沈殿池に入れる第１ポンプと、該貯留槽から揚水して直接放流するための第２ポンプと、該第１ポンプと第２ポンプとによる全揚水量を計測する流量計と、前記最初沈殿池から流入される流入水に対する活性汚泥処理を行う反応槽と、該反応槽内の溶存酸素濃度を計測する溶存酸素濃度計と、該反応槽への送風量を計測する風量計と、簡易処理として前記最初沈殿池から放流するための簡易処理放流ゲートを備える下水処理システムにおける流入水処理演算装置であって、前記計測された降雨量、ポンプ全揚水量、反応槽溶存酸素濃度、及び反応槽への送風量のデータを入力する入力手段と、前記入力する降雨量とポンプ全揚水量とに基づいて、降雨による流入量増加状況をファジー推論する流入量増加状況演算手段と、前記入力する反応槽溶存酸素濃度と送風量のデータに基づいて、流入水の希釈状況をファジー推論する流入水の希釈状況演算手段と、前記流入量増加状況演算手段により求められた流入量増加状況の推論値が予め設定される第１の閾値を越えるか否かを判定すると共に、該流入水の希釈状況演算手段により求められた流入水の希釈状況の推論値が予め設定される第２の閾値を越えるか否かを判定する判定手段と、該判定手段による判定結果に応じて前記第２ポンプに対するポンプ起動／停止指令、または前記簡易処理放流ゲートに対するゲート開／閉指令を出力する制御手段とを有する。
【００２０】
上記流入水処理演算装置は、特に降雨等によって流入量が増大して反応槽による活性汚泥処理の処理能力の限界を越えそうな状況において、例えば直接放流等を行ってよいか、といったような、厳密／正確ではなくてもよいがある程度の正しさが求められる判断を、ファジー推論を用いて行うようにしている。これにより、作業者等が下水処理場に常駐して逐一判断するというような、わずらわしい人的負担を減らすことができる。
【００２５】
また、本発明によれば、判断を行うだけでなく、判断結果に応じた制御を自動的に行うようにしているので、下水処理場の作業者等の負担を更に軽減することができる。
【００２６】
また、本発明には、上記流入水処理演算装置、下水処理システムを実現させるプログラムが記録された記録媒体自体も含まれる。
【００２７】
【発明の実施の形態】
以下、図面を参照して、本発明の実施の形態について説明する。
本発明は、水質センサー等を新たに設けることなく、既存の活性汚泥処理反応槽内の溶存酸素濃度一定値運転システムから得られるデータを用いて、放流／簡易処理等すべき時期を自動的に判断及び操作する下水処理システムを提案する。
【００２８】
これは、例えば、後述するファジー推論により実現する。詳しくは、以下、図１以降を参照しながら説明する。
図１は、本実施形態による下水処理システム全体を概略的に示す図である。
【００２９】
尚、同図において、図１１と同じものは同一符号を付してある。
図１において、まず、上述してある既存の「溶存酸素濃度一定制御装置」について説明する。図示の通り、送風機１７からの送風を風量調節弁１８で調節することで、反応槽６への送風量が変わる。溶存酸素濃度一定制御装置２０は、溶存酸素濃度計１６により計測された溶存酸素濃度値を入力し、これに基づいて溶存酸素濃度一定制御の為の所定の演算を行って、風量調節弁１８の弁開度を決定する。そして、この弁開度指令を風量調節弁１８に送る。
【００３０】
本発明の特徴である流入水処理演算部１０は、この既存の「溶存酸素濃度一定制御装置」で用いるデータの一部を利用し、溶存酸素濃度計１６により計測された溶存酸素濃度値を入力すると共に、風量計１９により計測された反応槽６への送風量を入力する。更に、雨量計１１で計測された降雨量、及び流量計１２で計測されたポンプ全揚水量も入力し、これら４種類の入力データに基づいて、以下に詳細に説明するファジー推論を行う。そして、この推論結果に応じて、図示の様に、河川放流ポンプ８に対しては放流ポンプ運転／停止指令、または簡易処理放流ゲート１３に対しては簡易処理放流ゲート操作指令、あるいは流入量調整ゲート１４、１５に対しては流入量調整ゲート操作指令を出す。尚、送風量の代わりに、風量調節弁１８の弁開度の計測値を用いるようにしてもよい。
【００３１】
尚、“ゲート”といっても、ゲート本体だけでなく、ゲートの開閉を行う装置も含む意味である。
流入水処理演算部１０の詳細については、以下、第１の実施例、第２の実施例として、説明する。
【００３２】
尚、以下の説明は、ほんの一例を示しているだけである。良く知られているように、ファジー推論には、例えばｍａｘ−ｍｉｎ重心法、ｍａｘ−ｐｒｏｄｕｃｔ重心法、シングルトン法等の様々な手法が存在するのであり、本発明はこれら手法の１形態に限定されるのではなく、適用可能な手法すべてが本発明に含まれる。尚、以下の説明では、後件部のメンバーシップ関数を定数（シングルトンと呼ぶ）とする手法を例にする。
【００３３】
図２は、第１の実施例による流入水処理演算部の概略的な機能ブロック図である。
流入水処理演算部３０は、図１で説明した通り、溶存酸素濃度計１６により計測された溶存酸素濃度値、風量計１９により計測された反応槽６への送風量、雨量計１１で計測された降雨量、及び流量計１２で計測されたポンプ全揚水量を入力する。流入水処理演算部３０は、降雨による流入量増加状況演算部３１、流入水の希釈状況演算部３２、判定／操作指令部３３より成る。
【００３４】
流入量増加状況演算部３１は、ポンプ全揚水量と降雨量を入力し、流入量の増加状況をファジー推論を実行して流入水の希釈状況演算部３２に出力する。希釈状況演算部３２は、この流入量増加状況演算部３１の出力と、溶存酸素濃度値及び反応槽送風量とを入力して、流入水の希釈状況をファジー推論を実行する。判定／操作指令部３３は、この推論された希釈状況に応じて、例えば河川放流ポンプ８の起動／停止等の指令を出力する。
【００３５】
以下、まず、流入量増加状況演算部３１におけるファジー推論について、詳細に説明する。
流入量増加状況のファジー推論は、図３（ａ）、（ｂ）に示すメンバーシップ関数と、図４に示すファジー評価ルールテーブルとを用いて行う。
【００３６】
図３（ａ）は、ポンプ揚水量のメンバーシップ関数であり、図示の通り三角型であり、ファジー変数のラベルは例えば「減少」、「変化なし」、「やや増加」、「増加」と表現するものとする。また、説明するまでもないが、図の縦軸は、各メンバーシップ関数への帰属度（grade of membership ）を表わす。例えば、ポンプ揚水量が０．４の場合には「やや増加」に属する度合いが最も大きい（‘１’である）ことになる。
【００３７】
ここで、同図の横軸に示すポンプ揚水量における０．４、１．０等の値は、ポンプ揚水量の計測値そのままを意味しているのではなく、晴天時の全揚水量と同じ値である場合には‘０’、運転可能なポンプを全台１００％運転したとき（最大運転時）の揚水量を‘１’として規格化しているものである。
【００３８】
ポンプ揚水量は次式により求める。
ポンプ揚水量＝現在計測されたポンプ全揚水量−晴天時の全揚水量
ポンプ揚水量は、運転可能な全ポンプの揚水定格値で規格化している。次元のある数値（１分当たりの揚水量、一時間当たりの揚水量等）の取り扱いを無次元で処理し、どのような揚水量でも統一して扱う為である。
【００３９】
ここで、ポンプ全揚水量は、貯留槽２から揚水する量全てを意味する。すなわち、揚水ポンプ３による揚水量（複数台ある場合には全てのポンプの揚水量の合計）だけでなく、河川放流ポンプ８による揚水量も含まれる。そして、このポンプ全揚水量の全てが、反応槽６に流入するとは限らない。河川放流ポンプ８により揚水された分は直接河川に放流されるし、簡易処理放流されるかもしれないし、あるいは雨水調整池がある場合には、ここに一時貯留されるかもしれない。このように、必ずしもポンプ全揚水量が反応槽６への流入量となるとは限らない。更に、晴天時の全揚水量とは、降雨開始時のＴ時間前から降雨開始時までのポンプの揚水量の実測値の平均値を意味する。Ｔの値は、経験的に、予め決める。例えば、２時間から３時間程度の値をとる。また、降雨等の影響がなくても流入量が変動する場合であって、それに周期性がある場合には（例えば、家庭から排出される下水の量は、深夜には少なく、食事時や風呂時には多くなる、といったように、一日の中である程度周期性のある変動が見られる）、例えば降雨等の影響がない状態で予め一日中のポンプの揚水量を実測して記憶しておき（あるいは、数日〜数週間分の平均値を求めて、これを記憶しておき）、現在時刻と同時刻の値を読み出して、これを上記晴天時の全揚水量としてもよい。
【００４０】
また、同図では、例えばポンプ揚水量が０．４に相当する値であるとき「やや増加」に属する度合いが‘１’となるように決められているが、これは一例として示しているだけである。実際には、ポンプ揚水量のメンバーシップ関数に限らず、本例で用いるメンバーシップ関数、制御規則の具体的な数値等は、ファジー制御においてはよく知られているように、例えば熟練した作業者等の経験等に基づく意見を参考にしながら主観的に決定していく。結果的に、後述する閾値（＝０．５）を越えているときに直接放流等が行われると丁度よい具合となるように、調整すればよいのである。
【００４１】
図３（ｂ）は降雨量のメンバーシップ関数であり、ファジー変数のラベルは「少」、「並」、「多」で表現する。これも、図３（ａ）の場合と同様に、横軸の降雨量の１．０、３．０等の値に対応する現実の降雨量が何であるかは、経験等に基づいて主観的に決定する。経験的には、送風量の減少が表れた時の降雨量を基準に考えるとよい。更に、降雨量によってどの程度流入量が増加するかといった問題は、各下水処理場毎に、その周囲の地形や設備等の影響で多少なりとも違ってくるので、できれば上記メンバーシップ関数は各下水処理場毎に設定することが望ましい。そうすれば、より適切な結果が得られるファジー制御が可能になる。尚、降雨量は、降雨開始時からの累積値である。また、降雨が止んでも直ちに降雨量の計測を終了させるとは限らない。例えば一時的に雨が止んでも、流入量が晴天時の状態に戻らない場合、降雨量の積算は継続する。
【００４２】
次に、図４に示すファジー評価ルールテーブルは、全部で１２個の制御規則をテーブル形式で表わしている。例えば、同図において網かけをした部分は、以下のIF-THEN型の１個の制御規則を表わしている。
【００４３】
ＩＦ  ポンプ揚水量が「やや増加」  ＡＮＤ  降水量が「並」
ＴＨＥＮ  流入量増加状況は「０．５」
他の１１個の制御規則についても、同じことであり、特に説明しない。
【００４４】
流入量増加状況演算部３１は、上述した図３（ａ）、（ｂ）に示すメンバーシップ関数と、図４に示す制御規則とを用いて、流入量増加状況の推論値を算出する。流入量増加状況の推論は、公知の方法を用いればよいが、一応、以下に一例を、具体例を挙げて説明しておく。
【００４５】
この例では、ポンプ揚水量＝０．５、降雨量＝１．０であったものとする。
この場合、図３（ａ）、（ｂ）を見ての通り、ポンプ揚水量に関しては「変化なし」と「減少」に属する度合い（あるいは成り立つ度合いという）は‘０’であり、降雨量においては「少」と「多」に属する度合いが‘０’であるので、図４に示す１２個の制御規則のうち、前件部（条件部）が成りたつ度合いが‘０’ではない制御規則は、以下の２つとなる。
【００４６】
▲１▼  ＩＦ  ポンプ揚水量が「やや増加」  ＡＮＤ  降水量が「並」
ＴＨＥＮ  流入量増加状況は「０．５」
▲２▼  ＩＦ  ポンプ揚水量が「増加」  ＡＮＤ  降水量が「並」
ＴＨＥＮ  流入量増加状況は「１．０」
また、ポンプ揚水量が０．５の場合、図３（ａ）を参照すると、目算により、「やや増加」への帰属度は０．８程度、「増加」への帰属度は０．２程度に読み取れるので、ここでは、０．８、０．２であるものとする。
【００４７】
降雨量＝１．０に対しては、図３（ｂ）より、「並」への帰属度が１．０である。
したがって、制御規則▲１▼の前件部の成り立つ度合いは０．８（１．０と０．８の何れか小さい方をとるので）
制御規則▲２▼の前件部の成り立つ度合いは０．２（同様に、１．０と０．２の何れか小さい方をとるので）
となり、結果、流入量増加状況の推論値は以下の式により求められる。
【００４８】
推論値＝（0.8 ×0.5 ＋0.2 ×1.0 ）÷（0.8 ＋0.2 ）
＝0.6
よって、この例では、流入量増加状況の推論値＝０．６が、流入水の希釈状況演算部３２に渡される。
【００４９】
尚、流入量増加状況の推論値の意味は、０．５を境にして増加／減少と解釈するものとする。すなわち、０．５以上である場合にはその値に応じた流入量の増加がある状況、０．５未満である場合にはその値に応じた流入量の減少がある状況と解釈する。
【００５０】
続いて、流入水の希釈状況演算部３２における処理について説明する。流入水の希釈状況演算部３２では、図５（ａ）〜（ｃ）に示すメンバーシップ関数と、図６に示す制御規則を用いる。
【００５１】
流入量増加状況演算部３１より渡される流入量増加状況の推論値、及び入力する反応槽溶存酸素濃度値と反応槽送風量に対して、各々、図５（ａ）〜（ｃ）に示すメンバーシップ関数が適用される。
【００５２】
図５（ａ）は、流入量増加状況のメンバーシップ関数であり、ファジー変数のラベルは例えば「少」、「並」、「多」と表現している。
図５（ｂ）は、反応槽溶存酸素濃度のメンバーシップ関数であり、ファジー変数のラベルは例えば「低い」、「目標」、「高い」と表現している。ここで、同図に示す横軸の「溶存酸素濃度」とは、次式の意味であり、更に溶存酸素濃度の計測値が、予め決められている上限値とイコールのとき１．０、下限値のとき−１．０となるように規格化している。
【００５３】
溶存酸素濃度＝溶存酸素濃度の計測値−溶存酸素濃度の目標値
尚、溶存酸素濃度の目標値とは、溶存酸素濃度一定制御装置２０による一定制御目標値のことである。
【００５４】
図５（ｃ）は、反応槽送風量のメンバーシップ関数であり、ファジー変数のラベルは例えば「減少」、「変化なし」、「増加」と表現している。ここで、同図に示す横軸の「送風量」とは、次式の意味であり、更に送風量の計測値が予め決められている上限値とイコールのとき１．０、下限値のとき−１．０となるように規格化している。
【００５５】
送風量＝送風量の計測値−降雨開始前の平均的な送風量
図６には、前件部に３個の命題を持つ、全部で２７個の制御規則を示してある。ここでも、図４のときと同様に、２７個の制御規則全てについて逐一説明はしないが、例えば一例として図中の網かけをした部分は、以下のIF-THEN型の１個の制御規則を表わしている。
【００５６】
ＩＦ  流入量増加状況の推論値が「多」  ＡＮＤ  溶存酸素濃度が「目標」
ＡＮＤ  送風量が「減少」  ＴＨＥＮ  希釈状況は「０．５５」
流入水の希釈状況演算部３２は、上述した図５（ａ）〜（Ｃ）に示すメンバーシップ関数と、図６に示す制御規則とを用いて、流入水の希釈状況を推論する。流入水の希釈状況の推論は、流入量増加状況演算部３１の場合と同様に、公知の方法を用いればよいが、ここでも一応、以下に一例を、具体例を挙げて説明しておく。
【００５７】
本例では、
流入量増加状況の推論値＝０．６、
溶存酸素濃度＝１．０、
送風量＝−０．５、
として説明する。
【００５８】
この場合、図６に示す２７個の制御規則の中で、前件部（条件部）の成り立つ度合いが‘０’ではないものは、以下の４個となる。
▲３▼ＩＦ  流入量増加状況の推論値が「並」  ＡＮＤ  溶存酸素濃度が「高い」
ＡＮＤ  送風量が「減少」  ＴＨＥＮ  希釈状況は「０．５５」
▲４▼ＩＦ  流入量増加状況の推論値が「並」  ＡＮＤ  溶存酸素濃度が「高い」
ＡＮＤ  送風量が「変化なし」  ＴＨＥＮ  希釈状況は「０」
▲５▼ＩＦ  流入量増加状況の推論値が「多」  ＡＮＤ  溶存酸素濃度が「高い」
ＡＮＤ  送風量が「減少」  ＴＨＥＮ  希釈状況は「１．０」
▲６▼ＩＦ  流入量増加状況の推論値が「多」  ＡＮＤ  溶存酸素濃度が「高い」
ＡＮＤ  送風量が「変化なし」  ＴＨＥＮ  希釈状況は「０．５５」
次に、図５（ａ）〜（ｃ）において、流入量増加状況の推論値＝０．６、溶存酸素濃度＝１．０、送風量＝−０．５の、各メンバーシップ関数に対する帰属度は、溶存酸素濃度＝１．０については「高い」に対して‘１’であることは明確であるが、それ以外については流入量増加状況演算部３１の場合と同様に、目算で決めた値で説明していくことにする。すなわち、
流入量増加状況の推論値＝０．６に関しては、
流入量増加状況が「並」のメンバーシップ関数に対する帰属度は０．８
流入量増加状況が「多」のメンバーシップ関数に対する帰属度は０．２
とする。
【００５９】
送風量＝−０．５に関しては、
送風量が「減少」のメンバーシップ関数に対する帰属度は０．５
送風量が「変化なし」のメンバーシップ関数に対する帰属度は０．５
とする。
【００６０】
溶存酸素濃度が「高い」のメンバーシップ関数に対する帰属度は、上記の通り‘１’である。
これより、
制御規則▲３▼の前件部の成り立つ度合いは０．５（０．８、１．０、０．５の中で最も小さい値）
制御規則▲４▼の前件部の成り立つ度合いは０．５（同様に、０．８、１．０、０．５の中で最も小さい値を用いる）
制御規則▲５▼の前件部の成り立つ度合いは０．２（０．２、１．０、０．５の中で最も小さい値）
制御規則▲６▼の前件部の成り立つ度合いは０．２（０．２、１．０、０．５の中で最も小さい値）
となり、結果、流入水の希釈状況の推論値は以下の式により求められる。
【００６１】
推論値＝（0.5 ×0.55＋0.5 ×0.0 ＋0.2 ×1.0 ＋0.2 ×0.55）
÷（0.5 ＋0.5 ＋0.2 ＋0.2 ）
＝0.42
上記流入水の希釈状況の推論値は、値が高いほど希釈度が高い（汚濁度が低い）ことを意味する。これより、流入水の希釈状況の推論値を受け取った判定／操作指令部３３には、予め、例えば直接放流してもよい希釈状況と考えられる値が閾値として設定されており、判定／操作指令部３３は、上記流入水の希釈状況の推論値とこの閾値とを比較して、閾値を越えたか否かにより各種操作指令を出力する処理を行う。例えば、閾値を越えたと判定した場合には、河川放流ポンプ８に対して運転開始指令を出し、その後、閾値を下回ったと判定した場合には、河川放流ポンプ８に対して運転停止指令を出す等の処理を実行する。
【００６２】
ここでは、閾値が０．５であるものとして説明する。上記例では、流入水の希釈状況の推論値が０．４２となったので、閾値（＝０．５）以下である。よって、既に河川放流ポンプ８を運転している状況である場合には運転停止指令を出す。一方、未だ、河川放流ポンプ８を運転していない状況である場合には、未だ流入水の汚濁度が高い状況にあるということなので、河川への直接放流等を我慢する（すなわち、何も行わない）。
【００６３】
尚、希釈状況の推論値が閾値（＝０．５）を越えた場合の操作指令は、各下水処理場毎に任意に決定しておけばよいのであり、操作対象は河川放流ポンプ８に限るのではない。
【００６４】
例えば、希釈状況の推論値が閾値（＝０．５）を越えた場合、判定／操作指令部３３が、簡易処理放流ゲート１３に対して簡易処理放流ゲート操作指令を出してゲートを開けさせて、簡易処理放流を開始するようにしてもよい。尚、その後、希釈状況の推論値が閾値（＝０．５）以下となったら、簡易処理放流ゲート１３を閉めさせる。
【００６５】
また、図１に示すように活性汚泥処理にステップ処理を採用している処理場の場合には、希釈状況の推論値が閾値（＝０．５）を越えた場合、流入量調整ゲート１４、１５に対して、反応槽６の後段への流入比率が高くなるようにする流入量調整ゲート操作指令を出す。その後、希釈状況の推論値が閾値（＝０．５）以下となったら、通常時の流入比率（前段：後段；５０：５０）に戻す操作指令を出す。
【００６６】
あるいは、図１には示していないが、雨水貯留池を備える処理場である場合には、希釈状況の推論値が閾値（＝０．５）を越えた場合、雨水の一時貯留を開始させ（例えば、雨水貯留池に至る水路のゲートを開けさせる操作指令を出す）、その後、希釈状況の推論値が閾値（＝０．５）以下となったら、一時貯留をストップするようにしてもよい。
【００６７】
続いて、以下、第２の実施例について、図７〜図９を参照して説明する。
図７は、第２の実施例による流入水処理演算部の概略的な機能ブロック図である。
【００６８】
流入水処理演算部４０は、図１で説明した通り、溶存酸素濃度計１６により計測された溶存酸素濃度値、風量計１９により計測された反応槽６への送風量、雨量計１１で計測された降雨量、及び流量計１２で計測されたポンプ全揚水量を入力する。流入水処理演算部４０は、降雨による流入量増加状況演算部４１、流入水の希釈状況演算部４２、判定／操作指令部４３より成る。
【００６９】
流入量増加状況演算部４１は、上記流入量増加状況演算部３１と同一であり、その説明は省略する。
希釈状況演算部４２は、溶存酸素濃度値及び反応槽送風量とを入力して、流入水の希釈状況をファジー推論する。
【００７０】
ここで、補足しておくならば、希釈状況演算部３２においても流入水の希釈状況を推論しているが、これは流入水の水質のみを意味しているのではない。流入水の水質が知りたいのであれば、希釈状況演算部４２のように溶存酸素濃度値と反応槽送風量とを入力すれば推論できる。このように、「希釈状況」という言葉は同じであっても希釈状況演算部３２と希釈状況演算部４２とではその意味が違う。
【００７１】
判定／操作指令部４３は、流入量増加状況演算部４１による「流入量増加状況」の推論結果と、希釈状況演算部４２による「流入水の希釈状況」の推論結果とに基づいて、例えば河川等に直接放流または簡易放流してもよい状況であるか否かを判定し、判定結果に応じた各種操作指令を出力する。
【００７２】
以下、希釈状況演算部４２におけるファジー推論について、簡単に説明するものとする。すなわち、ファジー推論手法自体については既に第１の実施例において具体例を挙げて詳細に説明しているので、ここでは特に詳細には説明しない。
【００７３】
流入量の希釈状況のファジー推論は、図８（ａ）、（ｂ）に示すメンバーシップ関数と、図９に示すファジー評価ルールテーブルとを用いて行う。
図８（ａ）は、反応槽溶存酸素濃度のメンバーシップ関数であり、ファジー変数のラベルは例えば「低い」、「目標」、「高い」と表現している。同図の数値、言葉の意味は、既に図５（ｂ）で説明してある。
【００７４】
図８（ｂ）は、反応槽送風量のメンバーシップ関数であり、ファジー変数のラベルは例えば「減少」、「変化なし」、「増加」と表現している。同図の数値、言葉の意味は、既に図５（ｃ）で説明してある。
【００７５】
図９に示すファジー評価ルールテーブルは、全部で９個の制御規則をテーブル形式で表わしている。これも、図４等の説明を見れば、特に詳細に説明しなくても意味は分かるであろう。
【００７６】
希釈状況演算部４２は、これらメンバーシップ関数と制御規則とを用いてファジー推論を実行し、結果、０〜１までの範囲の値をとる流入量の希釈状況のファジー推論値を出力する。
【００７７】
判定／操作指令部４３には、流入量増加状況演算部４１から出力される「流入量増加状況」の推論値、希釈状況演算部４２から出力される「流入水の希釈状況」の推論値の各々に対する閾値が、予め設定されており、閾値を越えるか否かを判定し、判定結果に応じて操作指令等を出す。
【００７８】
例えば、閾値が、各々、０．５、０．５であったとすると、
「流入量増加状況」の推論値が０．５を越え、
且つ、「流入水の希釈状況」の推論値が０．５を越えた場合に、
河川への直接放流等を行ってもよい状況にあるとし、例えば河川放流ポンプ８に対して放流ポンプ運転指令を出し、直接放流を開始させる。その後、何れか一方の値が０．５以下となった場合には、直接放流をストップさせる。
【００７９】
勿論、判定／操作指令部４３から出力される操作指令が、直接放流に限るものではないことは、第１の実施例と同じであり、ここでは特に説明しない。
上記流入水処理演算部１０は、例えばパソコン等の情報処理装置において実現される。
【００８０】
図１０は、上記流入水処理演算部１０の機能を実現させる情報処理装置のハードウェア構成図、及び記憶媒体の一例を示す図である。
図１０において、情報処理装置５０は、ＣＰＵ５１、記憶部５２（可搬記憶媒体５２ａを含む）、メモリ５３、表示部５４、操作部５５、入出力インタフェース部５６等より構成される。
【００８１】
ＣＰＵ５１は、情報処理装置５０全体を制御する中央処理装置である。
記憶部５２は、少なくとも、上述した流入水処理演算部１０の機能を実現するためのプログラムが記憶されているＨＤＤ等の記憶装置である。または記憶部５２は可搬記憶媒体５２ａとその駆動読み取り装置の組合せ（例えば、フロッピディスク（ＦＤ）とフロッピーディスクドライブ（ＦＤＤ））であってもよい。可搬記憶媒体５２ａには上記ＦＤの他にＣＤ−ＲＯＭ、メモリカード、ＤＶＤ、ＭＯ等がある。
【００８２】
メモリ５３は、記憶部５２に格納されているプログラムを一時的に記憶し当該プログラムをＣＰＵ５１に実行させる為のＲＡＭ等である。
表示部５４は、ディスプレイ等である。
【００８３】
操作部５５は、キーボード、マウス等である。
入出力インタフェース部５６は、例えば市販の通信線、あるいは専用の通信線を接続して、この通信線を介して、上記溶存酸素濃度計１６により計測された溶存酸素濃度値、風量計１９により計測された反応槽６への送風量、雨量計１１で計測された降雨量、及び流量計１２で計測されたポンプ全揚水量という４種類のデータを入力し、更に上記各種操作指令を出力する為のインタフェースである。
【００８４】
ここで、本発明は、情報処理装置といった装置それ自体に限らず、コンピュータにより使用されたときに、本発明に係わる各種機能を実現させる為のプログラムが格納されたコンピュータ読出し可能な記録媒体（記憶媒体）自体として構成することもできる。
【００８５】
この場合、「記録媒体」には、例えば図１０で可搬記憶媒体５２ａの一例として示しているＣＤ−ＲＯＭ５７、フロッピィーディスク５８等の可搬記憶媒体や（勿論、これら一例に限らず、ＭＯ、ＤＶＤ、リムーバブルハードディスク等、「可搬記憶媒体」の範疇に入るものであれば何であってもよい）だけでなく、不図示のネットワークを介して通信可能な外部の任意の情報処理装置（不図示）の「記録媒体」も含まれる。また、当然、上記情報処理装置５０内の記憶装置（ＲＡＭ／ＲＯＭ又はハードディスク等）も含まれる。
【００８６】
【発明の効果】
以上、詳細に説明したように、本発明の下水処理システム、その流入水処理演算装置、流入水処理方法によれば、直接放流等すべきタイミングを自動的に正しく判断でき、且つ直接放流等の操作も自動的に行うので、人間が判断する場合のように正しい判断を個々の能力に依存することなく（人によって判断がバラツクということがなく）、常にある一定のレベルの正しい判断が下されるので、全体的に見れば判断ミスが起こる可能性は低くなる。よって、判断ミスにより河川を汚してしまったり、反応槽を異常にしてしまったりする可能性が低くなる。更に、人間が下水処理場等に常駐して頻繁にデータを見て判断し、必要に応じて操作を行うといった多大な負担がなくなり、人的負担が軽減される。更に、既存の溶存酸素濃度一定制御装置のデータを利用しているので、水質センサ等の新たな構成を追加する方法に比べれば、コスト安となる。
【図面の簡単な説明】
【図１】下水処理システム全体を概略的に示す図である。
【図２】第１の実施例による流入水処理演算部の概略的な機能ブロック図である。
【図３】流入量増加状況のファジー推論に用いる各メンバーシップ関数を示す図である。
【図４】流入量増加状況のファジー推論に用いる１２個の制御規則をテーブル形式で示す図である。
【図５】流入水の希釈状況のファジー推論に用いる各メンバーシップ関数を示す図である。
【図６】流入水の希釈状況のファジー推論に用いる２７個の制御規則をテーブル形式で示す図である。
【図７】第２の実施例による流入水処理演算部の概略的な機能ブロック図である。
【図８】流入水の希釈状況のファジー推論に用いる各メンバーシップ関数を示す図である。
【図９】流入水の希釈状況のファジー推論に用いる９個の制御規則をテーブル形式で示す図である。
【図１０】流入水処理演算部の機能を実現させる情報処理装置のハードウェア構成図、及び記憶媒体の一例を示す図である。
【図１１】下水処理場の一例としてステップ処理施設を備える下水処理場を示す図である。
【符号の説明】
１  下水管渠
２  貯留槽
３  揚水ポンプ
４  最初沈殿池
５  雨水調整池
６  反応槽
７  最終沈殿池
８  河川放流ポンプ
１０  流入水処理演算部
１１  雨量計
１２  流量計
１３  簡易処理放流ゲート
１４  流入量調整ゲート（後段）
１５  流入量調整ゲート（前段）
１６  溶存酸素濃度計
１７  送風機
１８  風量調節弁
１９  風量計
２０  溶存酸素濃度一定制御装置
３０  流入水処理演算部
３１  降雨による流入量増加状況演算部
３２  流入水の希釈状況演算部
３３  判定／操作指令部
４０  流入水処理演算部
４１  降雨による流入量増加状況演算部
４２  流入水の希釈状況演算部
４３  判定／操作指令部
５０  情報処理装置
５１  ＣＰＵ
５２  記憶部
５２ａ  可搬記憶媒体
５３  メモリ
５４  表示部
５５  操作部
５６  入出力インタフェース部
５７  ＣＤ−ＲＯＭ
５８  フロッピィーディスク
【図１】
0004485043.tif 000002
【図２】
0004485043.tif 000003
【図３】
0004485043.tif 000004
【図４】
0004485043.tif 000005
【図５】
0004485043.tif 000006
【図６】
0004485043.tif 000007
【図７】
0004485043.tif 000008
【図８】
0004485043.tif 000009
【図９】
0004485043.tif 000010
【図１０】
0004485043.tif 000011
【図１１】
0004485043.tif 000012